(57)【要約】【課題】  本発明は、固体撮像素子で被写体光を捉えて画像信号を生成するデジタルカメラに関し、沈胴時にレンズ鏡胴内の部材の一部を好適な位置に退避させることにより有効な薄型化が図られたデジタルカメラを提供する。【解決手段】  フォーカスレンズ１１３を、光軸上の位置と、ＣＣＤ固体撮像素子１２０の脇の窪み部分１０４に入り込んだ退避位置との間で旋回させ、沈胴時にはフォーカスレンズ１１３を窪み部分１０４に入り込ませる。【選択図】      図１２
2004318050.tif 000002
【特許請求の範囲】
【請求項１】
被写体光を捉えて画像信号を生成するデジタルカメラにおいて、
光軸上に並ぶ、フォーカスレンズを含む複数のレンズからなり、焦点距離可変であるとともに該フォーカスレンズの移動によりピント調節を行なう撮影レンズと、
前記撮影レンズを収容して、該撮影レンズが覗く開口を前方に有するとともに後方が壁で画定された内部空間を有し、繰出し、沈胴が自在であって繰出時に焦点距離調節を行なうレンズ鏡胴と、
前記壁から前記内部空間に突出した位置に配備されて該壁に支持された、前記撮影レンズにより結像された被写体光を受けて画像信号を生成する固体撮像素子とを備え、
前記レンズ鏡胴は、沈胴時に、前記フォーカスレンズを、前記固体撮像素子が前記壁から突出して配備されていることに伴い形成された、該固体撮像素子脇の、該固体撮像素子と前記壁とで区画された窪み部分に退避させるとともに、繰出時には、該フォーカスレンズを前記撮影レンズ光軸上に進出させるレンズ進退機構を備えたものであることを特徴とするデジタルカメラ。
【請求項２】
前記レンズ鏡胴は、繰出し、沈胴に伴って光軸方向に移動し前記フォーカスレンズの光軸方向に関する位置を定めるフォーカスレンズガイド枠と、前記フォーカスレンズを保持するとともに前記フォーカスレンズガイド枠に軸支され、該フォーカスレンズを、繰出時には前記撮影レンズ光軸上に旋回させるとともに沈胴時には前記窪み部分に旋回させるフォーカスレンズ保持枠とを備えたことを特徴とする請求項１記載のデジタルカメラ。
【請求項３】
前記フォーカスレンズ保持枠は、前記フォーカスレンズを前記光軸上に旋回させる方向に付勢されたものであり、
前記壁が、前記内部空間に突出した形状を有し沈胴時に前記フォーカスレンズ保持枠に接して該フォーカスレンズ保持枠の旋回に作用する旋回作用部を有するとともに、
前記フォーカスレンズ保持枠が、沈胴時に前記旋回作用部に押されて前記フォーカスレンズを前記窪み部分に旋回させる作用受け部を有するものであることを特徴とする請求項２記載のデジタルカメラ。
【請求項４】
前記フォーカスレンズ保持枠が、繰出し時には、前記作用受け部と前記旋回作用部とが互いに離れ、前記付勢の作用により前記フォーカスレンズを前記撮影レンズ光軸上に進出させるものであることを特徴とする請求項３記載のデジタルカメラ。
【請求項５】
前記作用受け部は、沈胴時に、前記旋回作用部に押されて該旋回作用部の周囲に回り込みながら前記壁側に移動する、光軸に対し斜めに向いた板状のものであることを特徴とする請求項３記載のデジタルカメラ。
【請求項６】
前記旋回作用部は、先端にテーパが形成されたものであり、
前記作用受け部は、沈胴時に、前記旋回作用部の前記テーパに押されることで前記フォーカスレンズを前記撮影レンズ光軸上から旋回して前記フォーカスレンズ退避位置に退避させるものであることを特徴とする請求項３記載のデジタルカメラ。
【請求項７】
前記レンズ鏡胴内に収納され前記撮影レンズの光軸方向に前記フォーカスレンズと一体的に移動して該撮影レンズを通過する被写体光の光量を制御する光量制御部材を備え、
前記レンズ進退機構は、沈胴時に、前記光量制御部材を、前記フォーカスレンズと一体的に、前記窪み部分に退避させるとともに、繰出時には、該光量制御部材を、該フォーカスレンズと一体的に、前記撮影レンズ光軸上に進出させるものであることを特徴とする請求項１記載のデジタルカメラ。
【請求項８】
前記光量制御部材は、電気光学素子からなるものであることを特徴とする請求項７記載のデジタルカメラ。
【請求項９】
前記光量制御部材は、開口径を制御することにより前記撮影レンズを通過する被写体光の光量を制御する絞り部材であることを特徴とする請求項７又は８記載のデジタルカメラ。
【請求項１０】
前記光量制御部材は、シャッタ速度を制御することにより前記撮影レンズを通過する被写体光の光量を制御するシャッタ部材であることを特徴とする請求項７又は８記載のデジタルカメラ。
【請求項１１】
被写体光を捉えて画像信号を生成するデジタルカメラにおいて、
光軸上に並ぶ、フォーカスレンズを含む複数のレンズからなり、焦点距離可変であるとともに該フォーカスレンズの移動によりピント調節を行なう撮影レンズと、
前記撮影レンズを収容して、該撮影レンズが覗く開口を前方に有するとともに後方が壁で画定された内部空間を有し、繰出し、沈胴が自在であって繰出時に焦点距離調節を行なうレンズ鏡胴と、
前記壁に支持された、前記撮影レンズにより結像された被写体光を受けて画像信号を生成する固体撮像素子とを備え、
前記レンズ鏡胴は、繰出し、沈胴に伴って光軸方向に移動し前記フォーカスレンズの光軸方向に関する位置を定めるフォーカスレンズガイド枠と、前記フォーカスレンズを保持するとともに前記フォーカスレンズガイド枠に軸支され、該フォーカスレンズを、繰出時には前記撮影レンズ光軸上に旋回させるとともに沈胴時には該撮影レンズ光軸から外れた退避位置に旋回させるフォーカスレンズ保持枠とを備えたことを特徴とするデジタルカメラ。
【請求項１２】
前記フォーカスレンズ保持枠は、前記フォーカスレンズを前記光軸上に旋回させる方向に付勢されたものであり、
前記壁が、前記内部空間に突出した形状を有し沈胴時に前記フォーカスレンズ保持枠に接して該フォーカスレンズ保持枠の旋回に作用する旋回作用部を有するとともに、
前記フォーカスレンズ保持枠が、沈胴時に前記旋回作用部に押されて前記フォーカスレンズを前記撮影レンズ光軸から外れた退避位置に旋回させる作用受け部を有するものであることを特徴とする請求項１１記載のデジタルカメラ。
【請求項１３】
前記フォーカスレンズ保持枠が、繰出し時には、前記作用受け部と前記旋回作用部とが互いに離れ、前記付勢の作用により前記フォーカスレンズを前記撮影レンズ光軸上に進出させるものであることを特徴とする請求項１２記載のデジタルカメラ。
【請求項１４】
前記作用受け部は、沈胴時に、前記旋回作用部に押されて該旋回作用部の周囲に回り込みながら前記壁側に移動する、光軸に対し斜めに向いた板状のものであることを特徴とする請求項１２記載のデジタルカメラ。
【請求項１５】
前記旋回作用部は、先端にテーパが形成されたものであり、
前記作用受け部は、沈胴時に、前記旋回作用部の前記テーパに押されることで前記フォーカスレンズを前記撮影レンズ光軸上から旋回して前記退避位置に退避させるものであることを特徴とする請求項１２記載のデジタルカメラ。
【請求項１６】
被写体光を捉えて画像信号を生成するデジタルカメラにおいて、
焦点距離可変な撮影レンズと、
前記撮影レンズを通過する被写体光の光量を制御する光量制御部材と、
前記撮影レンズおよび前記光量制御部材を収容して、該撮影レンズが覗く開口を前方に有する内部空間を有し、繰出し、沈胴が自在なレンズ鏡胴とを備え、
前記レンズ鏡胴は、沈胴時に、前記光量制御部材を、前記撮影レンズの光軸から外れた所定の光量制御部材退避位置に退避させるとともに、繰出時には、該光量制御部材を前記撮影レンズ光軸上に進出させる光量制御部材進退機構を備えたものであることを特徴とするデジタルカメラ。
【発明の詳細な説明】
【技術分野】
【０００１】
本発明は、固体撮像素子で被写体光を捉えて画像信号を生成するデジタルカメラに関する。
【背景技術】
【０００２】
近年、従前の銀塩フィルム上に写真撮影を行なうタイプのカメラに加え、ＣＣＤ撮像素子あるいはＣＭＯＳ撮像素子等の固体撮像素子を備えその固体撮像素子上に被写体を結像して画像信号を生成するタイプのデジタルカメラが急速に普及してきている。
【０００３】
このデジタルカメラにおいても、撮影性能とともに携帯性が強く求められており、焦点距離可変とし所望の画角の撮影が可能であるとともに携帯に便利なように撮影レンズを沈胴させて薄型のボディ内に収納することが行なわれている。
【０００４】
焦点距離可変の撮影レンズの構成としては３群以上のレンズ群からなる撮影レンズが用いられ、光軸方向最後端にフォーカスレンズを第３群として配置しそのフォーカスレンズを光軸方向に移動させてピント調節を行うタイプの撮影レンズが広く採用されている。さらに通常は、前群レンズと後群レンズとの間、あるいは後群レンズとフォーカスレンズとの間にシャッタあるいは絞り等の光量制御用の部材が備えられている。
【０００５】
従来これらのレンズやシャッタ等の間隔をできるだけ狭めるように沈胴することにより薄型化が図られているが、これでは薄型化に限界がある。
【０００６】
さらなる薄型化を実現するために、撮影レンズのうちのいずれかの群を光軸上から外すように退避させて沈胴すること自体については考えられているが、どの群をどこに退避させると更なる薄型化を実現することが可能であるか、あるいは、どのような進退機構を備えると、簡単な機構で沈胴時に所要の位置に退避させ、繰出し時には光軸上に正しく進出させることができるか、という点については今のところ提案は見あたらない。
【０００７】
従来、焦点距離を変更するために後群レンズを光軸上に配置して望遠とし、その後群レンズを光軸から外すことにより広角とすることが知られているが（特許文献１参照）、この提案は、焦点距離を変更するためだけのものであり、カメラの薄型化には何ら寄与していない。
【０００８】
また、後述する本発明に関連する技術として、液晶を用いた液晶シャッタ（特許文献２および３参照）や、偏光板を用いたＰＬＺＴシャッタ（特許文献４参照）等、電気光学素子を用いたシャッタが知られている。
【特許文献１】特開平５−３４７６９号公報
【特許文献２】特開平９−１６３２４０号公報
【特許文献３】特開２００１−６１１６５号公報
【特許文献４】特開平８−３０４８７５号公報
【発明の開示】
【発明が解決しようとする課題】
【０００９】
本発明は、上記事情に鑑み、従来よりもさらに有効な薄型化が図られたデジタルカメラを提供することを目的とする。
【課題を解決するための手段】
【００１０】
上記目的を達成する本発明のデジタルカメラのうちの第１のデジタルカメラは、被写体光を捉えて画像信号を生成するデジタルカメラにおいて、
光軸上に並ぶ、フォーカスレンズを含む複数のレンズからなり、焦点距離可変であるとともに該フォーカスレンズの移動によりピント調節を行なう撮影レンズと、
上記撮影レンズを収容して、該撮影レンズが覗く開口を前方に有するとともに後方が壁で画定された内部空間を有し、繰出し、沈胴が自在であって繰出時に焦点距離調節を行なうレンズ鏡胴と、
上記壁から上記内部空間に突出した位置に配備されて該壁に支持された、上記撮影レンズにより結像された被写体光を受けて画像信号を生成する固体撮像素子とを備え、
上記レンズ鏡胴は、沈胴時に、上記フォーカスレンズを、上記固体撮像素子が上記壁から突出して配備されていることに伴い形成された、該固体撮像素子脇の、該固体撮像素子と上記壁とで区画された窪み部分に退避させるとともに、繰出時には、該フォーカスレンズを上記撮影レンズ光軸上に進出させるレンズ進退機構を備えたものであることを特徴とする。
【００１１】
ＣＣＤ撮像素子等の固体撮像素子を備えたデジタルカメラの場合、上記の、固体撮像素子脇の窪み部分はデッドスペースとなり勝ちである。本発明は、その窪み部分を有効利用するものであり、フォーカスレンズをその窪み部分に退避させることにより沈胴時に一層の薄型化が図られる。
【００１２】
ここで、上記本発明の第１のデジタルカメラにおいて、上記レンズ鏡胴は、繰出し、沈胴およびピント調節に伴って光軸方向に移動しフォーカスレンズの光軸方向に関する位置を定めるフォーカスレンズガイド枠と、そのフォーカスレンズを保持するとともにそのフォーカスレンズガイド枠に軸支され、フォーカスレンズを、繰出時には撮影レンズ光軸上に旋回させるとともに沈胴時には上記窪み部分に旋回させるフォーカスレンズ保持枠とを備えたものであることが好ましい。
【００１３】
フォーカスレンズを光軸方向に移動させるだけの従来のカメラの場合は、フォーカスレンズの光軸方向の位置を定めるレンズ枠を備えてそのレンズ枠を光軸方向に移動させているが、ここでは、このレンズ枠が上記のフォーカスレンズガイド枠とフォーカスレンズ保持枠とに分けられてフォーカスレンズ保持枠がフォーカスレンズガイド枠に対し回動自在に軸支され、これにより、そのフォーカスレンズ保持枠に保持されたフォーカスレンズが旋回するように構成されている。こうすることにより、簡単な機構でフォーカスレンズを沈胴時には上記の窪み部分に退避させ、および繰出し時には光軸上に正確に進出させることができる。
【００１４】
ここで、上記の、フォーカスレンズガイド枠とフォーカスレンズ保持枠とを備えた構成の場合、具体的には、
上記フォーカスレンズ保持枠は、上記フォーカスレンズを所定の軸部材を中心に上記光軸上に旋回させる方向に付勢されたものであり、
上記壁が、上記内部空間に突出した形状を有し沈胴時に上記フォーカスレンズ保持枠に接して該フォーカスレンズ保持枠の旋回に作用する旋回作用部を有するとともに、
上記フォーカスレンズ保持枠が、沈胴時に上記旋回作用部に押されて上記フォーカスレンズを上記窪み部分に旋回させ、繰出し時に上記旋回作用部と離隔することにより上記フォーカスレンズを上記撮影レンズ光軸上に進出させる作用受け部を有するものであってもよい。
【００１５】
また、上記フォーカスレンズ保持枠が、繰出し時には、上記作用受け部と上記旋回作用部とが互いに離れ、上記付勢の作用により上記フォーカスレンズを上記撮影レンズ光軸上に進出させるものであることが好ましい。
【００１６】
ここで、上記作用受け部は、沈胴時に、上記旋回作用部に押されて該旋回作用部の周囲に回り込みながら上記壁側に移動する、光軸に対し斜めに向いた板状のものであってもよく、あるいは、上記旋回作用部は、先端にテーパが形成されたものであり、
上記作用受け部は、沈胴時に、上記旋回作用部の上記テーパに押されることで上記フォーカスレンズを上記撮影レンズ光軸上から旋回して上記フォーカスレンズ退避位置に退避させるものであってもよい。
【００１７】
また、上記本発明のデジタルカメラのうちの第２のデジタルカメラは、
被写体光を捉えて画像信号を生成するデジタルカメラにおいて、
光軸上に並ぶ、フォーカスレンズを含む複数のレンズからなり、焦点距離可変であるとともにフォーカスレンズの移動によりピント調節を行なう撮影レンズと、
上記撮影レンズを収容して、その撮影レンズが覗く開口を前方に有するとともに後方が壁で画定された内部空間を有し、繰出し、沈胴が自在であって繰出時に焦点距離調節を行なうレンズ鏡胴と、
上記壁に支持された、上記撮影レンズにより結像された被写体光を受けて画像信号を生成する固体撮像素子とを備え、
上記レンズ鏡胴は、繰出し、沈胴に伴って光軸方向に移動しフォーカスレンズの光軸方向に関する位置を定めるフォーカスレンズガイド枠と、そのフォーカスレンズを保持するとともにそのフォーカスレンズガイド枠に軸支され、フォーカスレンズを、繰出時には撮影レンズ光軸上に旋回させるとともに沈胴時には撮影レンズ光軸から外れた退避位置に旋回させるフォーカスレンズ保持枠とを備えたことを特徴とする。
【００１８】
従来のカメラの場合、フォーカスレンズの光軸方向の位置を定めるレンズ枠を備えてそのレンズ枠を光軸方向に移動させているが、本発明の第２のデジタルカメラの場合、このレンズ枠が上記のフォーカスレンズガイド枠とフォーカスレンズ保持枠とに分けられてフォーカスレンズ保持枠がフォーカスレンズガイド枠に対し回動自在に軸支され、これにより、そのフォーカスレンズ保持枠に保持されたフォーカスレンズが旋回するように構成されている。こうすることにより、簡単な機構でフォーカスレンズを沈胴時には撮影レンズ光軸上から外れた退避位置に退避させ、および繰出し時には光軸上に正確に進出させることができる。
【００１９】
ここで、本発明の第２のデジタルカメラにおいても、
上記フォーカスレンズ保持枠は、上記フォーカスレンズを上記光軸上に旋回させる方向に付勢されたものであり、
上記壁が、上記内部空間に突出した形状を有し沈胴時に上記フォーカスレンズ保持枠に接して該フォーカスレンズ保持枠の旋回に作用する旋回作用部を有するとともに、
上記フォーカスレンズ保持枠が、沈胴時に上記旋回作用部に押されて上記フォーカスレンズを上記撮影レンズ光軸から外れた退避位置に旋回させる作用受け部を有するものであってもよい。
【００２０】
また、上記フォーカスレンズ保持枠が、繰出し時には、上記作用受け部と上記旋回作用部とが互いに離れ、上記付勢の作用により上記フォーカスレンズを上記撮影レンズ光軸上に進出させるものであることが好ましい。
【００２１】
ここで、上記作用受け部は、沈胴時に、上記旋回作用部に押されて該旋回作用部の周囲に回り込みながら上記壁側に移動する、光軸に対し斜めに向いた板状のものであってもよく、あるいは、上記旋回作用部は、先端にテーパが形成されたものであり、
上記作用受け部は、沈胴時に、上記旋回作用部の上記テーパに押されることで上記フォーカスレンズを上記撮影レンズ光軸上から旋回して上記退避位置に退避させるものであってもよい。
【００２２】
また、上記本発明の第１および第２のデジタルカメラにおいて、上記レンズ鏡胴内に収納され撮影レンズの光軸方向にフォーカスレンズと一体的に移動して撮影レンズを通過する被写体光の光量を制御する光量制御部材を備え、
上記レンズ進退機構は、沈胴時に、光量制御部材を、フォーカスレンズと一体的に、上記窪み部分に退避させるとともに、繰出時には、光量制御部材を、フォーカスレンズと一体的に、撮影レンズ光軸上に進出させるものであることも好ましい形態である。
【００２３】
この場合に、上記光量制御部材は、電気光学素子からなるものであることが好ましい。
【００２４】
ここで、上記光量制御部材は、開口径を制御することにより撮影レンズを通過する被写体光の光量を制御する絞り部材であってもよく、あるいは、
上記光量制御部材は、シャッタ速度を制御することにより撮影レンズを通過する被写体光の光量を制御するシャッタ部材であってもよい。
【００２５】
沈胴時に、光量制御部材を、フォーカスレンズと一緒に上記窪み部分に退避させることにより、撮影レンズや光量制御部材を含むレンズ鏡胴の具体的な構成によっては、沈胴時の厚さを一層薄型化することができる。
【００２６】
また、上記目的を達成する本発明のデジタルカメラのうちの第３のデジタルカメラは、被写体光を捉えて画像信号を生成するデジタルカメラにおいて、
焦点距離可変な撮影レンズと、
撮影レンズを通過する被写体光の光量を制御する光量制御部材と、
撮影レンズおよび光量制御部材を収容して、撮影レンズが覗く開口を前方に有する内部空間を有し、繰出し、沈胴が自在なレンズ鏡胴とを備え、
上記レンズ鏡胴は、沈胴時に、光量制御部材を、撮影レンズの光軸から外れた所定の光量制御部材退避位置に退避させるとともに、繰出時には、光量制御部材を撮影レンズ光軸上に進出させる光量制御部材進退機構を備えたものであることを特徴とするものも含まれる。
【００２７】
沈胴時に、光量制御部材を退避させることによっても、沈胴時の厚さを薄型化することができる。
【発明の効果】
【００２８】
以上説明したように、本発明によれば、従来よりも一層の薄型化が図られる。
【発明を実施するための最良の形態】
【００２９】
以下、本発明の第１実施形態について説明する。
【００３０】
図１、図２は、本発明の第１実施形態のデジタルカメラの外観斜視図である。
【００３１】
図１には、第１実施形態のデジタルカメラ１の、ズームレンズを内蔵するレンズ鏡胴１００の沈胴状態が示されており、図２には、デジタルカメラ１の、レンズ鏡胴１００の繰出し状態が示されている。
【００３２】
図１、図２に示すデジタルカメラ１のレンズ鏡胴１００には、後述するような３群で構成された撮影レンズが内蔵されており、それらのレンズ群を光軸方向に移動させることで焦点距離調節が行なわれるとともに、第３群のフォーカスレンズを光軸方向に移動させることによりピント調節が行なわれる。
【００３３】
図１および図２に示すデジタルカメラ１の正面上部には、補助光発光窓１２およびファインダ対物窓１３が配置されている。また、このデジタルカメラ１の上面には、シャッタボタン１４が配置されている。
【００３４】
このデジタルカメラ１の、図示しない背面には、ズーム操作スイッチが配備されており、このズーム操作スイッチの一方を押すと、押し続けている間、レンズ鏡胴１００が望遠側に繰り出し、ズーム操作スイッチの他方を押すと、押し続けている間、レンズ鏡胴１００が広角側に移動する。
【００３５】
図３は、図１，図２に示す本発明の第１実施形態のデジタルカメラの、繰出し状態にあるレンズ鏡胴を光軸方向から見て主要部品を示した模式図であり、後述する図７の断層線Ｆ−Ｆ’に沿う断面図、図４は、図３と同一の断面図上に断層線Ａ−Ａ’を示した図、図５は図３と同一の断面図上に断層線Ｄ−Ｄ’を示した図である。以下も同様に、図の繁雑さ、分かりにくさを避けるために、符号を付して説明するための図と、断層線を付した図とを分けておく。図６は、図４の断層線Ａ−Ａ’に沿う、焦点距離最長のテレ端の状態を示す断面図、図７は、図６と同一の断面図上に断層線Ｆ−Ｆ’を示した図、図８は、図４の断層線Ａ−Ａ’に沿う、焦点距離最短のワイド端の状態を示す断面図、図９は図５の断層線Ｄ−Ｄ’に沿う、ワイド端の状態の主要部品を示す断面図である。また、図１０は、図１〜図９に示す第１実施形態のデジタルカメラの沈胴状態にあるレンズ鏡胴を、光軸方向から見て主要部品を示した模式図であり、後述する図１３の断層線Ｅ−Ｅ’に沿う断面図、図１１は、図１０と同一の断面図上に断層線Ｂ−Ｂ’および断層線Ｃ−Ｃ’を示した図、図１２は、図１１の断層線Ｃ−Ｃ’に沿う断面図、図１３は、図１２と同一の断面図上に断層線Ｅ−Ｅ’を示した図、図１４は、図１１の断層線Ｂ−Ｂ’に沿う断面図である。
【００３６】
以下では、主に図６を参照するとともに、必要に応じて他の図面も合わせて参照しながら説明する。
【００３７】
図３〜図１４に示すレンズ鏡胴１００の内部空間１０１には、光軸方向前方から順に、前群レンズ１１１、後群レンズ１１２、およびフォーカスレンズ１１３の３群からなる撮影レンズ１１０が収容されている。この撮影レンズ１１０は、後群レンズ１１２が図６に示すテレ端と図８に示すワイド端との間で移動することにより焦点距離が変化し、かつフォーカスレンズ１１３が光軸方向に移動することによりピント調節が行なわれる構成となっている。
【００３８】
この内部空間前端には、撮影レンズ１１０が覗く開口１０２が形成されており、また後方は、カメラボディに固定された、あるいはカメラボディの一部を構成する壁部材１０３が配置され、内部空間１０１は、その壁部材１０３、および、後に説明する複数の筒体によりその輪郭が画定されている。
【００３９】
壁部材１０３には、ＣＣＤ固体撮像素子（以下、ＣＣＤと略記する）１２０が内部空間１０１に突出した状態に取り付けられている。このＣＣＤ１２０が内部空間１０１に突出した位置に配備されていることにより、そのＣＣＤ１２０の脇には、そのＣＣＤ１２０と壁部材１０３とで区画された窪み部分１０４が形成されている。
【００４０】
また、その壁部材１０３には、送りネジ１３１（図９参照）が回転自在に支持されており、その送りネジ１３１には、図９に示すナット部材１３２が螺合し、そのナット部材１３２には、フォーカスレンズ１１３を光軸方向に案内するフォーカスレンズガイド枠１３３が固定されている。このフォーカスレンズガイド枠１３３は、ナット部材１３２に固定されているとともに、そのフォーカスレンズガイド枠１３３に設けられたフォーク状の溝部１３３ａ（図３参照）に、壁部材１０３から突出するガイド棒２０５が嵌入している。このため、このフォーカスレンズガイド枠１３３は、送りネジ１３１の回転により光軸方向に移動する。
【００４１】
また、このフォーカスレンズガイド枠１３３には、フォーカスレンズ１１３を保持するフォーカスレンズ保持枠１３４が、回転軸２０６のまわりに回動自在に軸支されており、コイルバネ１０７により、フォーカスレンズ１１３が撮影レンズ１１０の光軸上に位置する方向にバネ付勢されている。このフォーカスレンズ保持枠１３４の回動範囲は、そのフォーカスレンズ保持枠１３４に保持されたフォーカスレンズ１１３が、撮影レンズ１１０の光軸上に進出した位置（図６，図８参照）と、ＣＣＤ１２０の脇の窪み部分１０４に入り込んだ退避位置（図１２参照）との間で旋回する範囲である。
【００４２】
フォーカスレンズ保持枠１３４が回動することによってフォーカスレンズ１１３が旋回し窪み部分１０４に設定された退避位置に退避する機構については、後で説明する。
【００４３】
フォーカスレンズガイド枠１３３が固定されたナット部材１３２が螺合した送りネジ１３１は、カメラボディ側に備えられた図示しないフォーカスモータにより回転駆動され、その送りネジ１３１の回転により、ナット部材１３２に固定されたフォーカスレンズガイド枠１３３およびそのフォーカスレンズガイド枠１３３に軸支されたフォーカスレンズ保持枠１３４が光軸方向に移動し、これにより、そのフォーカスレンズ保持枠１３４に保持されたフォーカスレンズ１１３が光軸方向に移動し、ＣＣＤ１２０の前面にピントの合った被写体像が写し出されるようにそのフォーカスレンズ１１３の位置が調整される。
【００４４】
壁部材１０３には、固定筒１４０が固定されており、その固定筒１４０の内側には回転筒１５０が備えられている。この回転筒１５０には、その外周に、柱状ギア１０５（図３参照）と噛合した歯車１５１が設けられており、その柱状ギア１０５は、図示しない鏡胴駆動モータにより回転駆動され、これにより、その回転筒１５０が回動する。また、固定筒１４０の内壁には、カム溝１４１が形成されており、回転筒１５０に固定されたカムピン１５２がそのカム溝１４１に嵌入しており、したがって、この回転筒１５０は、柱状ギア１０５を介して回転駆動力を受けると、回転しながら光軸方向に前進あるいは後退する。
【００４５】
また、この回転筒１５０の内側には、回転筒側直進キーリング１５４が、回転筒１５０に対し回転自在に、ただし回転筒１５０に対する光軸方向への相対移動不能に備えられている。さらに、その回転筒側直進キーリング１５４には、キー板１５５が固定され、そのキー板１５５が、固定筒１４０の内壁に形成された、光軸方向に延びるキー溝１４２に嵌入し、これにより、その回転筒側直進キーリング１５４は、固定筒１４０に、光軸方向への移動は自在に回り止めされている。したがって、回転筒１５０が回転しながら光軸方向に移動すると、回転筒側直進キーリング１５４は、固定筒１４０に対し回り止めされていることから回転せずに、ただし光軸方向へは回転筒１５０とともに移動する。
【００４６】
また、回転筒１５０の内側には、回動自在な中間筒１６０が備えられている。回転筒１５０の内壁には、カム溝１５６が形成されており、さらに、回転筒側直進キーリング１５４にもその外周と内周とに貫通したカム溝１５７が形成されており、回転筒１５０のカム溝１５６には、中間筒１６０に設けられたカムピン１６１が、回転筒側直進キーリング１５４のカム溝１５７を貫通して嵌入している。したがって、回転筒１５０が回転しながら光軸方向に移動すると、中間筒１６０も、回転筒１５０と回転筒側直進キーリング１５４のカム溝の形状に従って回転しながら、回転筒１５０に対しさらに相対的に光軸方向に移動する。
【００４７】
この中間筒１６０の内側には、中間筒側直進キーリング１６４が配備されている。先に説明した回転筒側直進キーリング１５４には直進キー溝１５８が形成されており、中間筒側直進キーリング１６４は回転筒側直進キーリング１５４の直進キー溝１５８に嵌入している。この中間筒側直進キーリング１６４は、中間筒１６０に対し相対回転自在であり、一方、その中間筒１６０に対する光軸方向への相対移動は禁止されている。したがって、中間筒１６０が回転しながら回転筒１５０に対し相対的に光軸方向に移動すると、中間筒側直進キーリング１６４は、回転せずに、中間筒１６０の光軸方向への移動に伴って光軸方向に直進移動する。
【００４８】
この中間筒１６０の内壁には、後群ガイド枠１７０を案内するためのカム溝１６５が形成されており、このカム溝１６５には、後群ガイド枠１７０に固設されたカムピン１７１が、中間筒側直進キーリング１６４に対し回り止めされた状態で嵌入している。したがって、中間筒１６０が回転すると、後群ガイド枠１７０は、中間筒１６０内壁のカム溝１６５の形状に応じて光軸方向に直進移動する。
【００４９】
この後群ガイド枠１７０には、その光軸方向前方にシャッタユニット１７９が固定されている。このシャッタユニット１７９には、撮影レンズ１１０を通過する被写体光の光量を制御する絞り部材と、シャッタ速度を制御することにより撮影レンズ１１０を通過する被写体光の光量を制御するシャッタ部材との双方が備えられている。また、その後群ガイド枠１７０には、その光軸方向後方に、後群レンズ１１２を保持する後群保持枠１７２が固定されている。
【００５０】
中間筒１６０には、前群レンズ１１１を保持した前群枠１８０を案内するためのもう１つのカム溝１６６が形成されており、このカム溝１６６には前群枠１８０に設けられたカムピン１８１が入り込んでいる。また、この前群枠１８０は、中間筒側直進キーリング１６４に、光軸方向への移動が自在に回わり止めされている。したがって、中間筒１６０が回転すると、前群枠１８０は、カム溝１６６の形状に応じて、その中間筒１６０に対し光軸方向に直進移動する。
【００５１】
このような機構により、図６のテレ端にあるときに、柱状ギア１０５を介して回転筒１５０に沈胴方向への回転駆動力が伝達されると、図６のテレ端の状態から図８のワイド端の状態を経由して、図１２および図１４の状態にまで沈胴し、逆に、図１２および図１４に示す沈胴状態にあるときに回転筒１５０に繰出し方向への回転駆動力が伝達されると、図１２、図１４に示す沈胴状態から図８に示すワイド端の状態にまで繰り出し、さらにワイド端の状態を経由して図６に示すテレ端の状態となる。
【００５２】
撮影を行なう際は、前述したズーム操作スイッチを操作して図６に示すテレ端と図８に示すワイド端との間で焦点距離を調節することにより、所望の撮影画角に設定する。フォーカスレンズ１１３は、ＣＣＤ１２０で得られた画像信号に基づくコントラスト検知により最高のコントラストが得られる位置にピント調節される。その後、シャッタボタンが押されると、ＣＣＤ１２０によりそのときの被写体を表わす画像信号が生成され、適切な画像処理が施された後、記録される。
【００５３】
次に、沈胴時にフォーカスレンズ１１３をＣＣＤ１２０脇の窪み部分１０４に設定された退避位置へ旋回させる機構について説明する。
【００５４】
フォーカスレンズ１１３を保持するフォーカスレンズ保持枠１３４は、前述したように、回転軸２０６により、フォーカスレンズガイド枠１３３に回転自在に軸支され、コイルバネ１０７（図３参照）によりフォーカスレンズ１１３が撮影レンズ１１０の光軸上に位置する方向にバネ付勢されている。
【００５５】
ここで、レンズ鏡胴１００の内部空間１０１の後面を画定する壁部材１０３には、図９に示すように、フォーカスレンズ保持枠１３４の係合部１３４ａの、沈胴方向移動軌跡内に、その内部空間１０１に突出した形状の凸部２０８が形成されている。
【００５６】
図１５は、壁部材に設けられた凸部２０８およびフォーカスレンズ保持枠１３４の係合部１３４ａを、図９に示す方向とは９０度異なる方向から見て示した模式図である。
【００５７】
壁部材に設けられた凸部２０８には、図１５に示すように、フォーカスレンズ保持枠１３４（図９参照）の係合部１３４ａに係合するテーパ面２０８ａが設けられている。したがって、送りネジ１３１が回転してフォーカスレンズ１１３がＣＣＤ１２０に近づく方向に移動すると、フォーカスレンズ保持枠１３４の係合部１３４ａが凸部２０８のテーパ面２０８ａに接触してそのテーパ面２０８ａに沿って動き、これによりフォーカスレンズ保持枠１３４が回転軸２０６のまわりに回動し、そのフォーカスレンズ保持枠１３４に保持されたフォーカスレンズ１１３が撮影レンズ１１０の光軸上の位置から外れて旋回し、ＣＣＤ１２０の脇の窪み部分１０４に設定されている退避位置（図１２参照）に移動する。
【００５８】
図１２，図１４に示す沈胴状態から繰出し方向に移動すると、壁部材１０３から突出した凸部２０８とフォーカスレンズ保持枠１３４との係合が外れ、フォーカスレンズ保持枠１３４は、コイルバネ１０７の付勢力により、図１０に示す状態から図３に示す状態に回動し、それにより、フォーカスレンズ１１３は図１２に示す退避位置から光軸上の位置に旋回する。
【００５９】
この第１実施形態においては、上記のとおり、沈胴時には、フォーカスレンズ１１３をＣＣＤ１２０の脇の窪み部分１０４に退避させている。その窪み部分１０４は、撮影レンズを光軸上から退避させる機構を持たずに光軸上に配置したまま沈胴する従来の沈胴、繰出し機構を備えたデジタルカメラの場合、デッドスペースとなり勝ちであるが、第１実施形態では、フォーカスレンズ１１３を光軸から外してその窪み部分１０４に退避させているため、その窪み部分１０４が有効利用され、従来よりも一層の薄型化が実現できる。
【００６０】
図１６は、図１〜図１５に示すデジタルカメラの回路構成を示すブロック図である。
【００６１】
このデジタルカメラ１には、前述した、撮影レンズ１１０、シャッタユニット１７９、およびＣＣＤ撮像素子１２０が備えられている。撮影レンズ１１０およびシャッタユニット１７９を経由してＣＣＤ撮像素子１２０上に結像された被写体像は、ＣＣＤ撮像素子１２０により、アナログの画像信号に変換される。ここで、シャッタユニット１７９は、ＣＣＤ撮像素子１２０からアナログ信号を読み出すにあたり、光によるスミアの発生を抑えるためのものである。
【００６２】
また、ここには補助光発光部１３０が備えられており、この補助光発光部１３０は、低照度時に補助光を発光する。また、この補助光発光部１３０は、低照度以外の必要時にも発光させることができる。
【００６３】
また、このデジタルカメラ１には、アナログ信号処理部５０１と、Ａ／Ｄ部５０２と、デジタル信号処理部５０３と、テンポラリメモリ５０４と、圧縮伸長部５０５と、内蔵メモリ（またはメモリカード）５０６と、画像モニタ５０７と、駆動回路５０８とが備えられている。ＣＣＤ撮像素子１２０は、駆動回路５０８内のタイミング発生回路（図示せず）によって発生したタイミングで駆動され、アナログの画像信号を出力する。また、駆動回路５０８には、撮影レンズ１１０、シャッタユニット１７９、補助光発光部１３０等を駆動する駆動回路も含まれている。ＣＣＤ撮像素子１２０から出力されたアナログの画像信号は、アナログ信号処理部５０１でアナログ信号処理され、Ａ／Ｄ部５０２でＡ／Ｄ変換されてデジタル信号処理部５０３でデジタル信号処理される。デジタル信号処理された信号を表わすデータはテンポラリメモリ５０４に一時的に格納される。テンポラリメモリ５０４に格納されたデータは、圧縮伸長部５０５で圧縮されて内蔵メモリ（またはメモリカード）５０６に記録される。尚、撮影モードによっては、圧縮の過程を省いて内蔵メモリ５０６に直接記録してもよい。テンポラリメモリ５０４に格納されたデータは画像モニタ５０７に読み出され、これにより画像モニタ５０７に被写体の画像が表示される。
【００６４】
さらに、このデジタルカメラ１には、このデジタルカメラ１全体の制御を行なうＣＰＵ５０９と、ズーム操作スイッチ等を含む操作スイッチ群５１０と、シャッタボタン１４とが備えられており、操作スイッチ群５１０を操作して、所望の画角に設定することを含む所望の撮影状態に設定してシャッタボタン１４を押下することにより写真撮影が行なわれる。
【００６５】
次に、本発明の第２実施形態について説明する。以下に説明する第２実施形態においてはその外観および概略回路構成は前述した第１実施形態における外観（図１，図２参照）および概略回路構成（図１６参照）とほぼ同一であり、多少の相違点があっても本発明の特徴部分の説明には差しつかえないため、ここでの図示および説明は省略し、レンズ鏡胴の構成に関してのみ説明する。
【００６６】
図１７は、本発明の第２実施形態のデジタルカメラの、焦点距離最長のテレ端の状態を示す、光軸に沿う断面図、図１８は、図１７と同じく第２実施形態のデジタルカメラの、焦点距離最短のワイド端の状態を示す光軸に沿う断面図、図１９は、図１７、図１８と同じ第２実施形態のデジタルカメラの沈胴状態を示す、光軸に沿う断面図である。
【００６７】
これらの図１７〜図１９は、前述した第１実施形態における、それぞれ図６，図８，図１２に対応する図であり、前述した第１実施形態との相違点は、前述した第１実施形態では、シャッタユニット１７９が後群ガイド枠１７０に固定されているのに代わり、ここに示す第２実施形態では、シャッタユニット１７９が、フォーカスレンズ保持枠１３４に固定されている点である。このシャッタユニット１７９は、フォーカスレンズ保持枠１３４に固定されてフォーカスレンズ１１３の前面に配置されている。ここでは、このシャッタユニット１７９は、液晶あるいはＰＬＺＴ（偏光板）等の電気光学素子を用いて光量を制御する方式のものであり、このシャッタユニット１７９には、開口径を制御することによりそこを通過する光量を制御する絞りと、シャッタ秒時を制御することによりそこを通過する光量を制御するシャッタとの双方が組み込まれている。
【００６８】
このシャッタユニット１７９は、フォーカスレンズを保持するフォーカスレンズ保持枠１３４に固定されているため、沈胴時には、図１９に示すように、フォーカスレンズ１１３とともに窪み部分１０４に退避し、繰出し時には、図１７，図１８に示すように、フォーカスレンズとともに光軸上に進出する。
【００６９】
沈胴、繰出しに伴う退避、進出の機構は、前述した第１実施形態の場合と同一であり、ここでは重複した図示および説明は省略する。
【００７０】
このように、本発明では、フォーカスレンズとともにシャッタユニットも一緒に、沈胴、繰出しに応じて退避、進出させてもよい。
【００７１】
あるいは、フォーカスレンズとは切り離しシャッタユニットのみを独立させて上記の窪み部分、あるいは、光軸から外れたその他の位置に退避させてもよい。
【００７２】
尚、上記の第２実施形態では、シャッタユニット１７９は、液晶あるいはＰＬＺＴ等の電気光学素子を用いたものである旨説明したが、フォーカスレンズとともにあるいはフォーカスレンズとは独立に退避するシャッタユニットは、必ずしも電気光学素子を用いたものである必要はなく、開口径やシャッタ速度を機械的に制御するメカニカルシャッタユニットあるいは光軸上に所定開口のアイリスを進退させるアイリスシャッタユニットであってもよい。
【００７３】
さらに、ここでは絞りとシャッタとの双方を備えている旨説明したが、絞りとシャッタとを兼用したユニットを備えてもよい。この点、電気光学素子を用いたシャッタユニットの場合も同様であり、電気光学素子を利用した、絞りとシャッタとを兼用したユニットを備えてもよい。
【００７４】
図２０は、本発明の第３実施形態のデジタルカメラの、繰出し状態の主要部品を示す断面図である。尚、図示の便宜上、後述する係合部１３４ａのみ上面図で示されている。
【００７５】
図２０に示す第３実施形態では、フォーカスレンズを光軸上から退避させる際に利用される部材の形状が第１実施形態において利用される部材の形状と異なっており、以下では、それについてのみ説明すると共に、第３実施形態において使用されている部材で、第１実施形態においても使用されている部材と同じ種類の部材には、第１実施形態において付されている符号と同じ符号が付されている。
【００７６】
フォーカスレンズ１１３を保持するフォーカスレンズ保持枠１３４は、第１実施形態において説明したように、回転軸２０６により、フォーカスレンズガイド枠１３３に回転自在に軸支され、コイルバネ１０７によりフォーカスレンズ１１３が撮影レンズ１１０の光軸上に位置する方向にバネ付勢されている。
【００７７】
また、レンズ鏡胴１００の内部空間１０１の後面を画定する壁部材１０３には、フォーカスレンズ保持枠１３４の係合部１３４ａの、沈胴方向移動軌跡内に、その内部空間１０１に突出した形状の凸部２０８が形成されている。
【００７８】
第３実施形態の係合部１３４ａは、回転軸２０６との回動自在の係合部である略円筒形のボス部の外側に螺旋状に張り出したつばであり、このつばは壁１０３に対し傾いている。
【００７９】
図２１は、第１実施形態における図１５に相当する図面であり、壁部材に設けられた凸部およびフォーカスレンズ保持枠の係合部を、図２０に示す方向とは９０°異なる方向から見て示した模式図である。
【００８０】
図２１には、フォーカスレンズ保持枠の係合部１３４ａに係合する、壁部材に設けられた凸部２０８が示されており、ここでも、係合部１３４ａは、壁部材に設けられた凸部２０８に対して傾いた状態で示されている。
【００８１】
第３実施形態のデジタルカメラでは、送りネジ１３１が回転してフォーカスレンズ１１３がＣＣＤ１２０に近づく方向に移動すると、フォーカスレンズ保持枠１３４の係合部１３４ａが凸部２０８に接触してその回りに沿って動き、これによりフォーカスレンズ保持枠１３４が回転軸１０６のまわりに回動し、そのフォーカスレンズ保持枠１３４に保持されたフォーカスレンズ１１３が撮影レンズ１１０の光軸上の位置から外れて旋回し、ＣＣＤ１２０の脇の窪み部分１０４に設定されているフォーカスレンズ退避位置に移動する。また、沈胴状態から繰出し方向に移動すると、壁部材１０３から突出した凸部２０８とフォーカスレンズ保持枠１３４との係合が外れ、フォーカスレンズ保持枠１３４は、コイルバネ１０７の付勢力により回動し、それにより、フォーカスレンズ１１３はフォーカスレンズ退避位置から光軸上の位置に旋回する。
【００８２】
以上に説明した、第１および第３実施形態ではシャッタユニット１７９は沈胴時に退避せずに光軸上に残っている。第１および第３実施形態の説明ではシャッタユニット１７９の構造については触れなかったが、沈胴時に光軸上に残すシャッタユニットの場合も、電気光学素子を用いたシャッタユニットであってもよく、メカニカルシャッタユニットであっても、アイリスシャッタユニットであってもよい。
【００８３】
以上説明した第１、第２、および第３実施形態では、デジタルカメラの中でも静止画撮影用のデジタルカメラを念頭に置いて説明したが、動画撮影用のデジタルカメラ、あるいは静止画撮影と動画撮影との両用のデジタルカメラについても、本発明を同様に適用することができる。また、第１、第２、および第３実施形態では、撮影レンズの、光軸についての進退にガイド枠および保持枠を用い、先端部にテーパ２０８ａを有する凸部２０８に部材を乗り上げさせたり、この凸部２０８に押されることでこの凸部２０８の周囲を回転するように板状物を設けた場合を例に挙げて説明したが、本発明はこれに限るものではなく、撮影レンズの、光軸についての進退にガイド枠および保持枠を用いるものであればよく、さらには、撮影レンズを撮影レンズ光軸と退避位置との間を進退させることのできるものであれば、ガイド枠および保持枠によるものでなくてもよい。
さらに、第１、第２、および第３実施形態では、撮影レンズとして、光軸方向前方から順に、前群レンズ、後群レンズ、およびフォーカスレンズの３群で構成され、焦点距離可変であるとともに光軸方向後端のフォーカスレンズの移動によりピント調節を行なうタイプの撮影レンズを例に挙げて説明したが、これに限るものではなく、本発明は、光軸上に並ぶ、フォーカスレンズを含む複数のレンズ群からなり、焦点距離可変であるとともにフォーカスレンズの移動によりピント調節を行なうタイプの撮影レンズを備えたデジタルカメラ一般に適用することができる。
【図面の簡単な説明】
【００８４】
【図１】本発明の第１実施形態のデジタルカメラの外観斜視図である。
【図２】本発明の第１実施形態のデジタルカメラの外観斜視図である。
【図３】本発明の第１実施形態のデジタルカメラの、繰出し状態にあるレンズ鏡胴を光軸方向から見て主要部品を示した模式図である。
【図４】図３と同一の断面図上に断層線Ａ−Ａ’を示した図である。
【図５】図３と同一の断面図上に断層線Ｄ−Ｄ’を示した図である。
【図６】図４の断層線Ａ−Ａ’に沿う、焦点距離最長のテレ端の状態を示す断面図である。
【図７】図６と同一断面図上に断層線Ｆ−Ｆ’を示した図である。
【図８】図４の断層線Ａ−Ａ’に沿う、焦点距離最短のワイド端の状態を示す断面図である。
【図９】図５の断層線Ｄ−Ｄ’に沿う、ワイド端の状態の主要部品を示す断面図である。
【図１０】第１実施形態のデジタルカメラの沈胴状態にあるレンズ鏡胴を光軸方向から見て主要部品を示した模式図である。
【図１１】図１０と同一の断面図上に断層線Ｂ−Ｂ’および断層線Ｃ−Ｃ’を示した図である。
【図１２】図１１の断層線Ｃ−Ｃ’に沿う断面図である。
【図１３】図１２と同一断面図上に断層線Ｅ−Ｅ’を示した図である。
【図１４】図１１の断層線Ｂ−Ｂ’に沿う断面図である。
【図１５】壁部材に設けられた凸部およびフォーカスレンズ保持枠の係合部を、図９に示す方向とは９０度異なる方向から見て示した模式図である。
【図１６】図１〜図１５に示すデジタルカメラの回路構成を示すブロック図である。
【図１７】本発明の第２実施形態のデジタルカメラの、焦点距離最長のテレ端の状態を示す、光軸に沿う断面図である。
【図１８】第２実施形態のデジタルカメラの、焦点距離最短のワイド端の状態を示す光軸に沿う断面図である。
【図１９】第２実施形態のデジタルカメラの沈胴状態を示す、光軸に沿う断面図である。
【図２０】本発明の第８実施形態のデジタルカメラの、繰出し状態の主要部品を示す断面図である。
【図２１】第１実施形態における図１５に相当する図面である。
【符号の説明】
【００８５】
１  デジタルカメラ
１２  補助光発光窓
１３  ファインダ対物窓
１４  シャッタボタン
１００  レンズ鏡胴
１０１  内部空間
１０２  開口
１０３  壁部材
１０４  窪み部分
１０５  柱状ギア
１０７  コイルバネ
１１０  撮影レンズ
１１１  前群レンズ
１１２  後群レンズ
１１３  フォーカスレンズ
１２０  ＣＣＤ固体撮像素子
１３１  送りネジ
１３２  ナット部材
１３３  フォーカスレンズガイド枠
１３４  フォーカスレンズ保持枠
１３４ａ  係合部
１４０  固定筒
１４１  カム溝
１４２  キー溝
１５０  回転筒
１５１  歯車
１５２  カムピン
１５４  固定筒側直進キーリング
１５５  キー板
１５６  カム溝
１５７  カム溝
１５８  直進キー溝
１６０  中間筒
１６１  カムピン
１６４  中間筒側直進キーリング
１６５  カム溝
１６６  カム溝
１７０  後群ガイド枠
１７１  カムピン
１７２  後群保持枠
１７９  シャッタユニット
１８０  前群枠
１８１  カムピン
２０５  ガイド棒
２０６  回転軸
２０８  凸部
２０８ａ  テーパ面
５０１  アナログ信号処理部
５０２  Ａ／Ｄ部
５０３  デジタル信号処理部
５０４  テンポラリメモリ
５０５  圧縮伸長部
５０６  内蔵メモリ（またはメモリカード）
５０７  画像モニタ
５０８  駆動回路
５０９  ＣＰＵ
５１０  操作スイッチ群
【図１】
2004318050.tif 000003
【図２】
2004318050.tif 000004
【図３】
2004318050.tif 000005
【図４】
2004318050.tif 000006
【図５】
2004318050.tif 000007
【図６】
2004318050.tif 000008
【図７】
2004318050.tif 000009
【図８】
2004318050.tif 000010
【図９】
2004318050.tif 000011
【図１０】
2004318050.tif 000012
【図１１】
2004318050.tif 000013
【図１２】
2004318050.tif 000014
【図１３】
2004318050.tif 000015
【図１４】
2004318050.tif 000016
【図１５】
2004318050.tif 000017
【図１６】
2004318050.tif 000018
【図１７】
2004318050.tif 000019
【図１８】
2004318050.tif 000020
【図１９】
2004318050.tif 000021
【図２０】
2004318050.tif 000022
【図２１】
2004318050.tif 000023